(57)【要約】【課題】基板間を接続する従来のレセプタクルコネクタに使用される端子は、相手側のプラグコネクタの端子が嵌入される被嵌入部から、コネクタの短手方向に離れた位置に、基板と実装するための実装部を備えているため、レセプタクルコネクタの端子の長さを短くすることが困難である。そのため、コネクタの短手方向で対照的に対向するように端子を配置したレセプタクルコネクタでは、短手方向の幅を狭くする余地がほとんどなく、当該コネクタの小型化を阻害する。【解決手段】端子の被嵌入部から離れた位置に設けられていた実装部を、被嵌入部の基板側の面に設けたことで、端子の長さを短くしてコネクタの短手方向の幅を狭く構成したレセプタクルコネクタを提供する。【選択図】図８
2019133814.tif 000002
【特許請求の範囲】
【請求項１】
相手側の端子の一方の面と接触する第１接触部を有する内側脚部と、相手側の端子の他方の面と接触する第２接触部を有する外側脚部と、前記内側脚部と前記外側脚部との間に被嵌入部とを有し、
前記被嵌入部は、相手側の端子と接触する面とは反対側の面に実装部を備え、
前記外側脚部は、弾性を有し、前記内側脚部から離れる方向に変位可能に構成されたこと
を特徴とする端子。
【請求項２】
前記外側脚部は、前記内側脚部と対向し、
前記第２接触部は、前記第１接触部側に突出し、
前記外側脚部と前記内側脚部との間隔は、前記第２接触部と前記第１接触部との間で最も狭くなること
を特徴とする請求項１に記載の端子。
【請求項３】
前記第２接触部は、前記第１接触部と対向する面の少なくとも一部に凹部を備えること
を特徴とする請求項１又は２に記載の端子。
【請求項４】
請求項１から３のいずれか１項に記載の端子と、前記端子を保持するハウジングとを含み、
前記ハウジングは、前記内側脚部の前記第１接触部側の面とは反対側の面を支持する嵌合凸部と、前記外側脚部の前記第２接触部側の面とは反対側の面を支持する側壁部とを含み、
前記側壁部は、前記外側脚部が前記内側脚部から離れる方向に変位することに伴って変形するように構成されたこと
を特徴とするコネクタ。
【請求項５】
前記側壁部は、壁の厚さを薄くして形成された薄壁部を、前記外側脚部を支持する面とは反対側の面に備えること
を特徴とする請求項４に記載のコネクタ。
【請求項６】
前記ハウジングは、前記嵌合凸部と前記側壁部との間に、前記被嵌入部を覆った被覆部を含むこと
を特徴とする請求項４又は５に記載のコネクタ。
【請求項７】
前記ハウジングは、前記端子を複数含み、
前記複数の端子は、前記ハウジングの長手方向に沿って等間隔に配列され、
前記複数の端子の前記外側脚部は、それぞれ前記第２接触部側の面とは反対側の面を前記側壁部によって支持され、
前記外側脚部をそれぞれ支持する前記側壁部は、前記長手方向の少なくとも一方の側に、側壁を取り除いた切欠部を有すること
を特徴とする請求項４から６のいずれか１項に記載のコネクタ。
【請求項８】
前記ハウジングは、前記端子を複数含み、
前記複数の端子は、２つ１組で前記ハウジングの短手方向で対称的に対向するように配置されたこと
を特徴とする請求項４から７のいずれか１項に記載のコネクタ。
【請求項９】
前記第２接触部の表面は、前記側壁部の表面よりも突出していること
を特徴とする請求項４から８のいずれか１項に記載のコネクタ。
【請求項１０】
前記第２接触部の表面は、前記側壁部の表面と面一であること
を特徴とする請求項４から８のいずれか１項に記載のコネクタ。
【発明の詳細な説明】
【技術分野】
【０００１】
本発明は、基板間を接続するためのコネクタであって、電気信号の高速伝送に適したコネクタに関する。具体的には、コネクタの長手方向の軸に対して軸直方向（短手方向）に向い合せに配置された一方の端子の端部から他方の端子の端部までのコネクタ幅を、従来のコネクタよりも狭くすることが可能な端子構造に関する。
【背景技術】
【０００２】
複数の端子がハウジングに一体成形等により配列保持され、基板間を接続するコネクタとして、例えば、特開２０１７−０６９１３３号公報（特許文献１）に開示されているコネクタがある。当該コネクタは、プラグ側のコネクタ（プラグコネクタ）と接続されるレセプタクル側のコネクタ（レセプタクルコネクタ）であり、複数の端子を長手方向に配列保持した、長方形状のハウジングを備える。
【０００３】
レセプタクルコネクタ及びプラグコネクタは、それぞれプリント配線基板又はフレキシブルフラットケーブル等に設けることができる。表面実装等でプリント配線基板に設けられたレセプタクルコネクタと、フレキシブルフラットケーブルの端部に設けられたプラグコネクタとを互いに嵌合することで、基板間を接続することができる。
【０００４】
図１６には、従来のコネクタに用いられる端子の一例が示される。端子９００は、プラグコネクタの端子であり、端子１０００は、レセプタクルコネクタの端子であり、各端子の形状は、コネクタの長手方向からみたものである。端子９００は、実装部９０１と、接触部９０２と、嵌入先端部９０３と、接触部９０４とを備える。端子９００の実装部９０１は、半田付けされてプリント配線基板又はフレキシブルフラットケーブル等に実装される。嵌入先端部９０３を相手側の端子１０００の接触部１００１と接触部１００４との間の被嵌入部１００３に向けて嵌入することで、接触部９０２及び接触部９０４が、端子１０００の接触部１００１及び接触部１００４にそれぞれ接触することができる。
【０００５】
端子１０００は、接触部１００１と、バネ部１００２と、被嵌入部１００３と、接触部１００４と、Ｕ字屈曲部１００５と、延長部１００６と、実装部１００７とを備える。端子１０００の実装部１００７は、半田付けされてプリント配線基板又はフレキシブルフラットケーブル等に実装される。相手側の端子９００の嵌入先端部９０３が、端子１０００の接触部１００１と接触部１００４との間に嵌入されると、接触部１００１は、バネ部１００２の弾性力によって相手側の端子９００の接触部９０２に押し当てられ、接触部１００１及び接触部１００４は、接触部９０２及び接触部９０４にそれぞれ接触することができる。
【先行技術文献】
【特許文献】
【０００６】
【特許文献１】特開２０１７−０６９１３３号公報
【発明の概要】
【発明が解決しようとする課題】
【０００７】
近年、スマートフォン、携帯端末等の電子機器の小型化や高機能化等に伴って、プリント配線基板において、素子、基板間を接続するコネクタ等の部品の高密度実装化が進んでおり、部品であるコネクタ自体の小型化する必要がある。しかしながら、端子を保持可能な程度にしか、コネクタのハウジングを小さくすることができず、コネクタの小型化に限界がある。例えば、図１６に示されるように、レセプタクルコネクタに含まれる端子１０００は、接触部１００２及び接触部１００４から離れた位置に実装部１００７を備える形状のために、従来のコネクタ（特許文献１参照）のように、端子１０００をコネクタの短手方向で対称的に対向するように配置すると、一方の端子の端部から他方の端子の端部までのコネクタ幅を狭くすることができない。
【０００８】
つまり、レセプタクルコネクタの端子１０００は、相手側の端子９００が嵌入される被嵌入部１００３がある側から、接触部１００４、Ｕ字屈曲部１００５、延長部１００６を介して、コネクタの短手方向（Ｘ軸方向）に離れた位置に、実装部１００７を備えているため、端子１０００の短手方向（Ｘ軸方向）の長さを短くすることが困難である。そのため、短手方向（Ｘ軸方向）に対称的に向い合せに端子１０００を備えた、従来のレセプタクルコネクタでは、短手方向（Ｘ軸方向）の幅を狭くする余地がほとんどなく小型化することができない。
【０００９】
以上のような課題を解決するために、端子の被嵌入部から離れた位置に設けられていた実装部を、被嵌入部の基板側の面（プラグコネクタの端子を受け入れる側の面とは、反対側の面）に設けることで、端子の長さを短くしてコネクタの短手方向の幅を狭く構成したレセプタクルコネクタを提供する。
【課題を解決するための手段】
【００１０】
本発明の１つの実施形態に係る端子は、相手側の端子の一方の面と接触する第１接触部を有する内側脚部と、相手側の端子の他方の面と接触する第２接触部を有する外側脚部と、前記内側脚部と前記外側脚部との間に被嵌入部とを有し、
前記被嵌入部は、相手側の端子と接触する面とは反対側の面に実装部を備え、
前記外側脚部は、弾性を有し、前記内側脚部から離れる方向に変位可能に構成されたことを特徴とする。
【００１１】
本発明に係る端子の好ましい実施形態として、
前記外側脚部は、前記内側脚部と対向し、
前記第２接触部は、前記第１接触部側に突出し、
前記外側脚部と前記内側脚部との間隔は、前記第２接触部と前記第１接触部との間で最も狭くなることを特徴とする。
【００１２】
本発明に係る端子の好ましい実施形態として、
前記第２接触部は、前記第１接触部と対向する面の少なくとも一部に凹部を備えること
を特徴とする。
【００１３】
本発明の１つの実施形態に係るコネクタは、前記端子と、前記端子を保持するハウジングとを含み、
前記ハウジングは、前記内側脚部の前記第１接触部側の面とは反対側の面を支持する嵌合凸部と、前記外側脚部の前記第２接触部側の面とは反対側の面を支持する側壁部とを含み、
前記側壁部は、前記外側脚部が前記内側脚部から離れる方向に変位することに伴って変形するように構成されたことを特徴とする。
【００１４】
本発明に係るコネクタの好ましい実施形態として、
前記側壁部は、壁の厚さを薄くして形成された薄壁部を、前記外側脚部を支持する面とは反対側の面に備えることを特徴とする。
【００１５】
本発明に係るコネクタの好ましい実施形態として、
前記ハウジングは、前記嵌合凸部と前記側壁部との間に、前記被嵌入部を覆った被覆部を含むことを特徴とする。
【００１６】
本発明に係るコネクタの好ましい実施形態として、
前記ハウジングは、前記端子を複数含み、
前記複数の端子は、前記ハウジングの長手方向に沿って等間隔に配列され、
前記複数の端子の前記外側脚部は、それぞれ前記第２接触部側の面とは反対側の面を前記側壁部によって支持され、
前記外側脚部をそれぞれ支持する前記側壁部は、前記長手方向の少なくとも一方の側に、側壁を取り除いた切欠部を有することを特徴とする。
【００１７】
本発明に係るコネクタの好ましい実施形態として、
前記ハウジングは、前記端子を複数含み、
前記複数の端子は、２つ１組で前記ハウジングの短手方向で対称的に対向するように配置されたことを特徴とする。
【００１８】
本発明に係るコネクタシステムの好ましい実施形態として、
前記第２接触部の表面は、前記側壁部の表面よりも突出していることを特徴とする。
【００１９】
本発明に係るコネクタシステムの好ましい実施形態として、
前記第２接触部の表面は、前記側壁部の表面と面一であることを特徴とする。
【発明の効果】
【００２０】
従来、端子の被嵌入部から離れた位置に設けられていた実装部を、被嵌入部の基板側の面に設けたことで、短手方向の幅を狭くしてコネクタの小型化を図ることができる。
【図面の簡単な説明】
【００２１】
【図１】本発明の一実施形態に係るレセプタクルコネクタと相手側のプラグコネクタを示す図である。
【図２】本発明の一実施形態に係るレセプタクルコネクタに含まれる複数の端子を示す図である。
【図３】本発明の一実施形態に係るレセプタクルコネクタを基板側からみた図である。
【図４】プラグコネクタに含まれる端子を示す図である。
【図５】プラグコネクタを基板側からみた図である。
【図６】プラグコネクタをレセプタクルコネクタ側からみた図である。
【図７】本発明の一実施形態に係るレセプタクルコネクタとプラグコネクタを短手方向からみた側面図である。
【図８】図７中の線Ａ−Ａに沿って切断したレセプタクルコネクタ及びプラグコネクタの断面図である。
【図９】図７中の線Ｂ−Ｂに沿って切断したレセプタクルコネクタ及びプラグコネクタの断面図である。
【図１０】本発明の一実施形態に係るレセプタクルコネクタとプラグコネクタとの嵌合状態を示す断面図である。
【図１１】本発明の別の実施形態に係るレセプタクルコネクタと相手側のプラグコネクタを示す図である。
【図１２】本発明の別の実施形態に係るレセプタクルコネクタとプラグコネクタを短手方向からみた側面図である。
【図１３】図１２中の線Ａ−Ａに沿って切断したレセプタクルコネクタ及びプラグコネクタの断面図である。
【図１４】図１２中の線Ｂ−Ｂに沿って切断したレセプタクルコネクタ及びプラグコネクタの断面図である。
【図１５】図１０に示すレセプタクルコネクタとプラグコネクタを別の角度からみた図である。
【図１６】従来のコネクタに使用されている端子の一例を示す図である。
【発明を実施するための形態】
【００２２】
以下に図面を参照して、本発明の実施形態について説明する。なお、実施の形態を説明するための全ての図において、同一部材には原則として同一の符号を付し、その繰り返しの説明は省略する。また、それぞれの実施形態は、独立して説明されているが、互いの構成要素を組み合わせてコネクタを構成することを排除するものではない。
【００２３】
図１は、本発明の一実施形態に係るコネクタ（レセプタクルコネクタ）と相手側コネクタ（プラグコネクタ）を示す。本発明のコネクタは、例えば、携帯電話やスマートフォン、デジタルカメラ、ノートパソコンなどの小型電子機器における内部部品として使用することができる。ここでは、コネクタの短手方向をＸ軸方向とし、コネクタの長手方向をＹ軸方向とし、コネクタの嵌合方向をＺ軸方向とする。図１では、レセプタクルコネクタ１００及びプラグコネクタ２００の各々における複数の端子のうちの一部に符号「１０」又は「２０」を付し、その他の同じ形状の端子の符号を省略して示す。
【００２４】
レセプタクルコネクタ１００は、破線で示される基板１に実装され、プラグコネクタ２００は、破線で示される基板２に実装される。図１に示す実施例では、基板１はプリント配線基板であり、基板２はフレキシブルフラットケーブルであるが、当該実施例に限定されるものではない。ここでは、プリント配線基板及びフレキシブルフラットケーブル等、コネクタが実装されるものを、単に「基板」と呼ぶ。
【００２５】
レセプタクルコネクタ１００は、長方形状のハウジング３０の中央部分に、長手方向（Ｙ軸方向）に延びた凸状の嵌合凸部３２を備え、嵌合凸部３２の短手方向（Ｘ軸方向）の両側には、複数の端子１０をそれぞれ支持する側壁部３３を備える。側壁部３３は、勘合凸部３２と向かい合うように形成され、レセプタクルコネクタ１００の長手方向（Ｘ軸方向）に並べて設けられる。嵌合凸部３２と側壁部３３との間に、相手コネクタであるプラグコネクタ２００の端子２０が嵌入される。レセプタクルコネクタ１００の嵌合凸部３２は、プラグコネクタ２００の嵌合凹部４４（図６参照）に嵌め合わされる。ハウジング３０の長手方向（Ｙ軸方向）の両端の相手コネクタ側（Ｚ2側）の縁部分には、傾斜状にガイド部３４が設けられる。プラグコネクタ２００をレセプタクルコネクタ１００に嵌合する際に、ガイド部３４によってプラグコネクタ２００のハウジング４０を正しい位置に導くことができる。
【００２６】
レセプタクルコネクタ１００のハウジング３０は、液晶ポリマー（ＬＣＰ）等の樹脂からなり、複数の端子１０を一体成型によって、嵌合凸部３２、側壁部３３及びそれらの間の樹脂で保持することができる。複数の端子１０は、Ｕ字状の同じ形状であり、等間隔で長手方向（Ｙ軸方向）に沿って配列される。長手方向（Ｙ軸方向）に配列された複数の端子１０は、短手方向（Ｘ軸方向）に間隔を空けて２列設けることができる。各端子１０のＵ字状の一方の側の部分（内側脚部１１、図２参照）は、嵌合凸部３２によって支持され、各端子１０のＵ字状の他方の側の部分（外側脚部１５、図２参照）は、側壁の一部を取り除いて形成された切欠部３１を間に挟んで長手方向（Ｙ軸方向）に並んだ側壁部３３によって支持される。
【００２７】
図１の実施形態では、各端子１０を支持する側壁部３３は、それぞれ長手方向（Ｙ軸方向）の両側に切欠部３１を備えているが、これに限定されるものではない。例えば、各端子１０を支持する側壁部３３は、それぞれ長手方向（Ｙ軸方向）の少なくとも一方の側に、側壁を取り除いて形成された切欠部３１を備えることもできる。
【００２８】
プラグコネクタ２００は、長方形状のハウジング４０の中央部分に、長手方向（Ｙ軸方向）に延びた凹状の嵌合凹部４４（図６参照）を備え、嵌合凹部４４の短手方向（Ｘ軸方向）の両側には、複数の端子２０をそれぞれ支持する側壁部４３を備える。側壁部４３は、プラグコネクタ２００の長手方向（Ｘ軸方向）に沿って２列設けられ、勘合凹部４４は、それら２列の側壁部４３の間に形成される。
【００２９】
プラグコネクタ２００のハウジング４０は、等しい間隔で長手方向（Ｙ軸方向）に２列に配列したＬ字状の同じ形状の複数の端子２０と共に一体成型されて、複数の端子２０を保持することができる。端子２０は、実装部２１で半田付けされて基板２に実装される。また、端子２０は、接触部２２によって相手側の端子１０の接触部１６（図２参照）に接触し、ロック部２３によって相手側の端子１０の接触部１６（図２参照）に係止することができる。
【００３０】
図１の実施形態では、レセプタクルコネクタ１００の長手方向（Ｙ軸方向）の端子の列は２列であるが、これに限定されるものではなく、例えば１列であってもよい。また、レセプタクルコネクタ１００の端子の数は６本であるが、これに限定されるものではなく、１本以上であればよい。端子の列及び端子の本数に関して、プラグコネクタ２００についても同様である。
【００３１】
図２は、図１に示したレセプタクルコネクタ１００のハウジング３０によって保持された状態で、複数の端子１０のみを示した図である。端子１０は、リン青銅等の金属からなり、内側脚部１１と外側脚部１５とを有したＵ字状の端子である。内側脚部１１は、外側脚部１５に面した接触部１２を備える。被嵌入部１３は、内側脚部１１と外側脚部１５との間の屈曲した部分であり、相手コネクタであるプラグコネクタ２００の端子２０を受け入れる面とは反対側の面（すなわち、基板側（Ｚ１側）の面）に、半田付け等で基板に実装するための実装部１４を有する。
【００３２】
外側脚部１５は、内側脚部１１側に突出した接触部１６を備え、内部脚部１２側の面とは反対側の面である支持面１７がハウジング３０の側壁部３３に支持される。また、外側脚部１５は、接触部１６よりも先端部分がコネクタの短手方向（Ｘ軸方向）外側（Ｘ１又はＸ２方向）に屈曲され、接触部１６と端部１９との間に頂部１８を備える。外側脚部１５の端部１９は、外側（Ｘ１又はＸ２方向）を向いている。
【００３３】
複数の端子１０は、２つ１組でハウジング３０の短手方向（Ｘ軸方向）で対称的に対向するように配置され、ハウジング３０の長手方向（Ｙ軸方向）に沿って配列される。つまり、２つ１組の端子１０は、一方の端子１０の内側脚部１１と他方の端子１０の内側脚部１１とが、互いに向い合うように配置される。
【００３４】
図３は、本発明の一実施形態に係るレセプタクルコネクタを基板側（Ｚ１側）からみた図である。ハウジング３０は、端子１０毎に、基板側の面（底面）に、端子１０の実装部１４を露出させた溝部３５を備える。溝部３５は、コネクタ１００を基板１に実装する際に、半田が実装部１４と溝部３５との間からハウジング３０の内部に侵入しないように、湾曲した実装部１４の周りを隙間なく覆うことができる。
【００３５】
図４は、図１に示したプラグコネクタ２００のハウジング４０によって保持された状態で、複数の端子２０のみを示した図である。端子２０は、リン青銅等の金属からなり、コネクタの短手方向（Ｘ軸方向）外側（Ｘ１又はＸ２方向）に屈曲されて形成された実装部２１と、コネクタの嵌合方向（Ｚ軸方向）に嵌入部２４とを有したＬ字状の端子である。
【００３６】
実装部２１の端部２７は、短手方向（Ｘ軸方向）外側（Ｘ１又はＸ２方向）を向いている。嵌入部２４は、端部２７が向いている側に接触部２２を備え、その反対側に接触部２５を備える。接触部２２は、嵌入部２４の表面よりも窪んで形成され、嵌入部２４の表面と該表面よりも窪んだ接触部２２との境界は、相手コネクタの端子１０の接触部１６を係止することができるロック部２３として機能する。
【００３７】
複数の端子２０は、２つ１組でハウジング４０の短手方向（Ｘ軸方向）で対称的に対向するように配置され、ハウジング４０の長手方向（Ｙ軸方向）に沿って配列される。つまり、２つ１組の端子２０は、一方の端子２０の嵌入部２４（接触部２５）と他方の端子２０の嵌入部２４（接触部２５）とが、互いに向い合うように配置される。
【００３８】
図５及び図６は、プラグコネクタを基板側（Ｚ２側）とその反対側（Ｚ１側）からみた図である。実装部２１の周囲は、一体成型によってハウジング４０を形成する樹脂で隙間なく埋められる。側壁部４３から短手方向（Ｘ軸方向）外側に延出した支持部４２は、Ｌ字状の端子２０の湾曲部分から端部２７に至る部分を支持することができる。支持部４２の傾斜部分である傾斜部４１は、実装部２１を半田付けで基板２に実装する際に、半田が実装部２１から嵌入部２４に伝わることを防ぐことができる。
【００３９】
ハウジング４０は、端子２０が配列された側壁部４３の間に嵌合凹部４４を備え、嵌合凹部４４は、相手コネクタのハウジング３０の中央部分に設けられた嵌合凸部３２と嵌り合うように構成される。
【００４０】
図７は、図１に示したレセプタクルコネクタとプラグコネクタを短手方向（Ｘ軸方向）からみた側面図であり、図７中の線Ａ−Ａ及び線Ｂ−Ｂは、図８及び図９に示す断面図の切断箇所を表す。図８は、レセプタクルコネクタ１００に含まれる端子１０部分及びプラグコネクタ２００に含まれる端子２０部分を、図７中の線Ａ−Ａに沿って切断したレセプタクルコネクタ１００及びプラグコネクタ２００の断面図である。図９は、レセプタクルコネクタ１００のハウジング３０の切欠部３１部分及びプラグコネクタ２００のハウジング４０の側壁部４３部分を、図７中の線Ｂ−Ｂに沿って切断したレセプタクルコネクタ１００及びプラグコネクタ２００の断面図である。
【００４１】
図８に示す断面図及び図９に示す断面図を参照すると、レセプタクルコネクタ１００の２つの端子１０は、ハウジング３０によって、嵌合凸部３２を中心に互に向かい合って左右対称に保持される。プラグコネクタ２００の２つの端子２０は、ハウジング３０によって、嵌合凹部４４を中心に互いに向かい合って左右対称に保持される。
【００４２】
２つの端子１０の内側脚部１１は、接触部１２がある面とは反対側の面をそれぞれハウジング３０の中央部分に設けられた嵌合凸部３２の側面で支持される。端子１０の外側脚部１５は、短手方向（Ｘ軸方向）外側を向いた面である支持面１７を、側壁部３３によって支持される。２つの端子２０は、実装部２１と嵌入部２４との間の湾曲部分を樹脂で覆うことで支持される。
【００４３】
端子１０の接触部１６は、側壁部３３の表面よりも嵌合凸部３２側に突出し、一方、端子２０の接触部２２は、側壁部４３の外側の表面よりも短手方向（Ｘ軸方向）外側に出るように構成される。端子１０の接触部１２の表面は、嵌合凸部３２の表面と面一であり、端子２０の接触部２５の表面も、側壁４３の内側の表面と面一である。接触部１６は、接触部１２側に突出し、外側脚部１５と内側脚部１１との間隔は、接触部１６と接触部１２との間で最も狭くなる。
【００４４】
図１０は、本発明の一実施形態に係るレセプタクルコネクタとプラグコネクタとの嵌合状態を示す断面図である。当該断面図は、図７中の線Ａ−Ａに対応する部分で、レセプタクルコネクタ１００とプラグコネクタ２００を切断したものである。端子１０の被嵌入部１３に向けて、端子２０の嵌入先端部２６を侵入させていくと、端子１０の外側脚部１５は弾性を有しているので、短手方向（Ｘ軸方向）外側に押されて変形する。つまり、外側脚部１５は、内側脚部１１から離れる方向に変位することができる。このとき、側壁部３３も外側脚部１５の支持面１７に押されて、短手方向（Ｘ軸方向）外側に拡がり変形する。
【００４５】
外側脚部１５は、もとの状態に戻ろうとする力によって接触部１６を、端子２０の接触部２２に押し当てることで、端子間の電気的接続を保つことができる。レセプタクルコネクタ１００にプラグコネクタ２００から離れる方向（Ｚ１方向）に力が加わった場合、又はプラグコネクタ２００にレセプタクルコネクタ１００から離れる方向（Ｚ２方向）に意図しない力が加わった場合に、接触部２２の表面よりも突出したロック部２３は、接触部１６にひっかかり、簡単に電気的接続が解除されることを防ぐことができる。
【００４６】
嵌入部２４は、外側脚部１５及び側壁部３３の元の形状に戻ろうとする力によって、嵌合凸部３２側に押されて、接触部２５は接触部１２に押し当てられて電気的に接続することができる。２つの端子１０の内側脚部１１は、それぞれ内側（嵌合凸部３２側）に押されるが、嵌合凸部３２は、両側から実質的に均等な力が加わるため、各内側脚部１１は変形することなく嵌合凸部３２で支持される。
【００４７】
図１１は、発明の別の実施形態に係るコネクタ（レセプタクルコネクタ）と相手側コネクタ（プラグコネクタ）を示す。両コネクタの基本的な構成は、図１に示すものと同様である。レセプタクルコネクタ７００は、長方形状のハウジング７０の中央部分に、長手方向（Ｙ軸方向）に延びた凸状の嵌合凸部７２を備え、嵌合凸部７２の長手方向（Ｙ軸方向）の両端には、複数の端子５０をそれぞれ支持する側壁部７３を備える。
【００４８】
嵌合凸部７２と側壁部７３との間に、相手コネクタであるプラグコネクタ８００の端子６０が嵌入される。レセプタクルコネクタ７００の嵌合凸部７２は、プラグコネクタ８００の嵌合凹部８４（図１３参照）に嵌め合わされる。ハウジング７０の長手方向（Ｙ軸方向）の両側の縁部分には、傾斜状にガイド部７５が設けられる。プラグコネクタ８００をレセプタクルコネクタ７００に嵌合する際に、ガイド部７５によってプラグコネクタ８００のハウジング８０を正しい位置に導くことができる。
【００４９】
レセプタクルコネクタ７００のハウジング７０は、液晶ポリマー（ＬＣＰ）等の樹脂からなり、等しい間隔で長手方向（Ｙ軸方向）に２列に配列したＵ字状の同じ形状の複数の端子５０と共に一体成型されて、複数の端子５０を保持することができる。各端子５０のＵ字状の一方の側の部分（内側脚部５１、図１３参照）は、嵌合凸部７２によって支持され、各端子５０のＵ字状の他方の側の部分（外側脚部５５、図１３参照）は、側壁の一部を取り除いて形成された切欠部７１を間に挟んで長手方向（Ｙ軸方向）に並んだ側壁部７３によって支持される。側壁部７３は、壁の厚さを薄くして形成された薄壁部７４を、外側脚部５５を支持する面とは反対側（すなわち、短手方向（Ｘ軸方向）外側）の面に備えることができる。
【００５０】
プラグコネクタ８００は、長方形状のハウジング８０の中央部分に、長手方向（Ｙ軸方向）に延びた凹状の嵌合凹部８４（図１４参照）を備え、嵌合凹部８４の長手方向（Ｙ軸方向）の両端には、複数の端子６０をそれぞれ支持する側壁部８３を備える。
【００５１】
プラグコネクタ８００のハウジング８０は、等しい間隔で長手方向（Ｙ軸方向）に２列に配列したＬ字状の同じ形状の複数の端子６０と共に一体成型されて、複数の端子６０を保持することができる。側壁部８３から短手方向（Ｘ軸方向）外側に延出した支持部８２は、Ｌ字状の端子６０の湾曲部分から端部６７に至る部分を支持することができる。端子６０は、実装部６１で半田付けされて基板（図示せず）に実装される。支持部８２の傾斜部分である傾斜部８１は、実装部６１を半田付けで基板に実装する際に、半田が実装部６１から嵌合凹部８４（図１３参照）がある内側に伝わることを防ぐことができる。端子６０は、接触部６２によって相手側の端子５０の接触部５６（図１３参照）に接触することができる。
【００５２】
図１２は、図１１に示したレセプタクルコネクタとプラグコネクタを短手方向からみた側面図であり、図１２中の線Ａ−Ａ及び線Ｂ−Ｂは、図１３及び図１４に示す断面図の切断箇所を表す。図１３は、レセプタクルコネクタ７００に含まれる端子５０部分及びプラグコネクタ８００に含まれる端子６０部分を、図１２中の線Ａ−Ａに沿って切断したレセプタクルコネクタ７００及びプラグコネクタ８００の断面図である。図１４は、レセプタクルコネクタ７００のハウジング７０の切欠部７１部分及びプラグコネクタ８００のハウジング８０の側壁部８３部分を、図１２中の線Ｂ−Ｂに沿って切断したレセプタクルコネクタ７００及びプラグコネクタ８００の断面図である。
【００５３】
図１３に示す断面図及び図１４に示す断面図を参照すると、レセプタクルコネクタ７００の２つの端子５０は、ハウジング７０によって、嵌合凸部７２を中心に互に向かい合って左右対称に保持される。プラグコネクタ８００の２つの端子６０は、ハウジング６０によって、嵌合凹部８４を中心に互いに向かい合って左右対称に保持される。
【００５４】
２つの端子５０の内側脚部５１は、接触部５２がある面とは反対側の面をそれぞれハウジング７０の中央部分に設けられた嵌合凸部７２の側面で支持される。端子５０の外側脚部５５は、短手方向（Ｘ軸方向）外側を向いた面である支持面５７を、側壁部７３によって支持される。２つの端子６０は、実装部６１と嵌入部６４との間の湾曲部分を樹脂で覆うことで支持される。
【００５５】
接触部５６は、接触部５１と対向する面の少なくとも一部に凹部を設けてもよい。図１３に示されるように、端子５０の接触部５６は、表面を凹状に窪ませた接触凹部５８を備えることができる。接触凹部５８は、端子６０の接触部６２の表面に、該表面から突出した凸部（図示せず）を設けた場合に、コネクタの嵌合時に、接触凹部５８は接触部６２上の凸部に係止することができる。接触部５６の表面は、側壁部６３の表面と面一である。
【００５６】
ハウジング７０は、嵌合凸部７２と側壁部７３との間に、樹脂が充填され被嵌入部５３を覆った被覆部７７を備えることができる。被覆部７７は、接触部５６、接触凹部５８及び接触部５２を覆うことなく、被嵌入部５３を実質的に隙間なく覆うことで、端子５０は、ハウジング７０に強固に固定される。被嵌入部５３は、内側脚部５１と外側脚部５５との間の屈曲した部分であり、相手コネクタであるプラグコネクタ８００の端子６０を受け入れる面とは反対側の面（すなわち、基板側（Ｚ１側）の面）に、半田付け等で基板に実装するための実装部５４を有する。
【００５７】
側壁部７３は、短手方向（Ｘ軸方向）外側に薄壁部７４を備えているので、外側に拡がり易く構成されている。端子５０の被嵌入部５３に向けて、端子６０の嵌入先端部６６を侵入させていくと、端子５０の外側脚部５５は弾性を有しているので、短手方向（Ｘ軸方向）外側に押されて変形する。つまり、外側脚部５５は、内側脚部５１から離れる方向に変位することができる。このとき、薄壁部７４を備えた側壁部７３も外側脚部５５の支持面５７に押され、短手方向（Ｘ軸方向）外側に拡がり変形する。このように、薄壁部７４は、コネクタの嵌合時に、側壁部７３の変形を促すことができる。
【００５８】
図１５は、図１０に示すレセプタクルコネクタとプラグコネクタをレセプタクルコネクタの基板側（Ｚ１側）からみた図である。ハウジング７０は、端子５０の長手方向（Ｙ軸方向）の配列毎に、基板側の面（底面）に、端子５０の実装部５４を露出させた溝部７６を備える。溝部７６は、コネクタ７００を基板に実装する際に、半田が実装部５４と溝部７６との間からハウジング７０の内部に侵入しないように、湾曲した実装部５４の周りを隙間なく覆うことができる。
【００５９】
以上のとおり、本発明は、例示したいずれの実施形態においても、従来、端子の被嵌入部からコネクタの短手方向（Ｘ軸方向）に離れた位置に設けられていた実装部を、被嵌入部の基板側の面に設けたことで、短手方向の幅を狭くしてコネクタの小型化をすることができる。本発明の個々の実施形態は、独立したものではなく、それぞれ組み合わせて適宜実施することができる。
【産業上の利用可能性】
【００６０】
本発明に係るコネクタは、電気信号の高速伝送を行うスマートフォン、携帯電話等の電子機器において、基板間をフラットケーブルで接続する等の用途に利用することができる。
【符号の説明】
【００６１】
１  基板（プリント配線基板）
２  基板（フレキシブルフラットケーブル）
１０  端子
１１  内側脚部
１２  接触部（第１接触部）
１３  被嵌入部
１４  実装部
１５  外側脚部
１６  接触部（第２接触部）
１７  支持面
１８  頂部
１９  端部
２０  端子
２１  実装部
２２  接触部
２３  ロック部
２４  嵌入部
２５  接触部
２６  嵌入先端部
２７  端部
３０  ハウジング
３１  切欠部
３２  嵌合凸部
３３  側壁部
３４  ガイド部
３５  溝部
４０  ハウジング
４１  傾斜部
４２  支持部
４３  側壁部
４４  嵌合凹部
５０  端子
５１  内側脚部
５２  接触部（第１接触部）
５３  被嵌入部
５４  実装部
５５  外側脚部
５６  接触部（第２接触部）
５７  支持面
５８  接触凹部
６０  端子
６１  実装部
６２  接触部
６４  嵌入部
６５  接触部
６６  嵌入先端部
６７  端部
７０  ハウジング
７１  切欠部
７２  嵌合凸部
７３  側壁部
７４  薄壁部
７５  ガイド部
７６  溝部
７７  被覆部
８０  ハウジング
８１  傾斜部
８２  支持部
８３  側壁部
８４  嵌合凹部
１００  プラグコネクタ
２００  レセプタクルコネクタ
７００  プラグコネクタ
８００  レセプタクルコネクタ
９００  端子
９０１  実装部
９０２  接触部
９０３  嵌入先端部
９０４  接触部
１０００  端子
１００１  接触部
１００２  バネ部
１００３  被嵌入部
１００４  接触部
１００５  Ｕ字屈曲部
１００６  延長部
１００７  実装部
【図１】
2019133814.tif 000003
【図２】
2019133814.tif 000004
【図３】
2019133814.tif 000005
【図４】
2019133814.tif 000006
【図５】
2019133814.tif 000007
【図６】
2019133814.tif 000008
【図７】
2019133814.tif 000009
【図８】
2019133814.tif 000010
【図９】
2019133814.tif 000011
【図１０】
2019133814.tif 000012
【図１１】
2019133814.tif 000013
【図１２】
2019133814.tif 000014
【図１３】
2019133814.tif 000015
【図１４】
2019133814.tif 000016
【図１５】
2019133814.tif 000017
【図１６】
2019133814.tif 000018